(57)【要約】 【課題】筐体サイズおよび消費電力量の増大を抑制しつつ、自身の存在を報知するための出力を行う。【解決手段】本発明の通信システムは、第１通信装置と複数の第２通信装置とを備える。第１通信装置は、何れかの第２通信装置を識別する第１識別情報を含む捜索情報を発信する発信部を備える。第２通信装置は、捜索情報受信部と第１制御部と出力指示信号受信部と第２制御部とを備える。捜索情報受信部は捜索情報を受信する。第１制御部は、捜索情報受信部が受信した捜索情報に含まれる第１識別情報と、自装置を識別する第２識別情報とが一致する場合は、出力部に出力を行わせる制御を行うとともに、他の第２通信装置に対して、出力部による出力を行うことを指示する出力指示信号を発信する制御を行う。出力指示信号受信部は出力指示信号を受信する。第２制御部は、出力指示信号受信部が出力指示信号を受信した場合は、出力部に出力を行わせる制御を行う。【選択図】図１
2016162360.tif 000002
【特許請求の範囲】
【請求項１】
第１通信装置と、それぞれが前記第１通信装置との間で無線通信を行う複数の第２通信装置と、を備える通信システムであって、
前記第１通信装置は、
何れかの前記第２通信装置を識別する第１識別情報を含む捜索情報を発信する発信部を備え、
前記第２通信装置は、
前記捜索情報を受信する捜索情報受信部と、
前記捜索情報受信部が受信した前記捜索情報に含まれる前記第１識別情報と、自装置を識別する第２識別情報とが一致する場合は、自身の存在を報知するための出力を行う出力部に出力を行わせる制御を行うとともに、他の前記第２通信装置に対して、前記出力部による出力を行うことを指示する出力指示信号を発信する制御を行う第１制御部と、
前記出力指示信号を受信する出力指示信号受信部と、
前記出力指示信号受信部が前記出力指示信号を受信した場合は、前記出力部に出力を行わせる制御を行う第２制御部と、を備える、
通信システム。
【請求項２】
前記捜索情報は、報知量を指定する報知レベル情報を含み、
前記第１制御部は、前記捜索情報に含まれる前記報知レベル情報に応じて、前記出力指示信号の強度を可変に設定する制御を行う、
請求項１の通信システム。
【請求項３】
前記第１制御部は、前記報知レベル情報によって指定された報知量が大きいほど、前記出力指示信号の到達範囲が大きくなるように、前記出力指示信号の強度を設定する制御を行う、
請求項２の通信システム。
【請求項４】
前記第１通信装置は、前記報知レベル情報を可変に設定する設定部を備える、
請求項１乃至３のうちの何れか１つの通信システム。
【請求項５】
前記出力部による出力が一定期間にわたって継続した場合は、前記出力部による出力を停止させる制御を行う第３制御部をさらに備える、
請求項１乃至４のうちの何れか１つの通信システム。
【請求項６】
前記出力部は、音声を出力する音声出力部、および、光を出力する光出力部のうちの少なくとも一方を含む、
請求項１乃至５のうちの何れか１つの通信システム。
【請求項７】
前記第２通信装置は、自装置を識別する前記第２識別情報を予め記憶する記憶部を備える、
請求項１乃至６のうちの何れか１つの通信システム。
【請求項８】
前記第２通信装置は、無線タグである、
請求項１乃至７のうちの何れか１つの通信システム。
【請求項９】
通信装置であって、
何れかの通信装置を識別する第１識別情報を含む捜索情報を受信する捜索情報受信部と、
前記捜索情報受信部が受信した前記捜索情報に含まれる前記第１識別情報と、自装置を識別する第２識別情報とが一致する場合は、報知するための出力を行う出力部に出力を行わせる制御を行うとともに、他の通信装置に対して、自身の存在を報知するための出力を行うことを指示する出力指示信号を発信する制御を行う第１制御部と、
前記出力指示信号を受信する出力信号受信部と、
前記出力指示信号受信部が前記出力信号を受信した場合は、前記出力部に出力を行わせる制御を行う第２制御部と、を備える、
通信装置。
【請求項１０】
通信装置による通信方法であって、
何れかの通信装置を識別する第１識別情報を含む捜索情報を受信する捜索情報受信ステップと、
前記受信ステップで受信した前記捜索情報に含まれる前記第１識別情報と、自装置を識別する第２識別情報とが一致する場合は、自身の存在を報知するための出力を行う出力部に出力を行わせる制御を行うとともに、他の通信装置に対して、前記出力部による出力を行うことを指示する出力指示信号を発信する制御を行う第１制御ステップと、
前記出力指示信号を受信する出力指示信号受信ステップと、
前記出力指示信号受信ステップで前記出力指示信号を受信した場合は、前記出力部に出力を行わせる制御を行う第２制御ステップと、を含む、
通信方法。
【請求項１１】
通信装置が備えるコンピュータに、
何れかの通信装置を識別する第１識別情報を含む捜索情報を受信する捜索情報受信ステップと、
前記受信ステップで受信した前記捜索情報に含まれる前記第１識別情報と、自装置を識別する第２識別情報とが一致する場合は、自身の存在を報知するための出力を行う出力部に出力を行わせる制御を行うとともに、他の通信装置に対して、前記出力部による出力を行うことを指示する出力指示信号を発信する制御を行う第１制御ステップと、
前記出力指示信号を受信する出力指示信号受信ステップと、
前記出力指示信号受信ステップで前記出力指示信号を受信した場合は、前記出力部に出力を行わせる制御を行う第２制御ステップと、を実行させるためのプログラム。
【発明の詳細な説明】
【技術分野】
【０００１】
本発明は、通信システム、通信装置、通信方法およびプログラムに関する。
【背景技術】
【０００２】
従来、個別情報を記憶するとともに無線通信機能を備える無線タグ（通信装置の一態様）を物品に取り付けることで、倉庫や棚に置かれた該物品を捜索するシステムが提案されている。
【０００３】
例えば、特許文献１には、物品に取り付けられた無線タグは、外部から受信した信号に含まれるコードデータと、無線タグに記録されているコードデータ（自身を識別する情報）とが一致すると、発音体および発光器を駆動する構成が開示されている。
【発明の概要】
【発明が解決しようとする課題】
【０００４】
しかしながら、従来技術においては、１つの無線タグから、報知するための出力（音声出力や光出力）を行う構成であるため、広範囲にわたって報知しようとした場合には、出力部（スピーカやライト）の出力量も大きくする必要がある。その結果、筐体サイズや消費電力量も大きくなるという問題がある。
【課題を解決するための手段】
【０００５】
上述した課題を解決し、目的を達成するために、本発明は、第１通信装置と、それぞれが前記第１通信装置との間で無線通信を行う複数の第２通信装置と、を備える通信システムであって、前記第１通信装置は、何れかの前記第２通信装置を識別する第１識別情報を含む捜索情報を発信する発信部を備え、前記第２通信装置は、前記捜索情報を受信する捜索情報受信部と、前記捜索情報受信部が受信した前記捜索情報に含まれる前記第１識別情報と、自装置を識別する第２識別情報とが一致する場合は、自身の存在を報知するための出力を行う出力部に出力を行わせる制御を行うとともに、他の前記第２通信装置に対して、前記出力部による出力を行うことを指示する出力指示信号を発信する制御を行う第１制御部と、他の前記第２通信装置から前記出力指示信号を受信する出力指示信号受信部と、前記出力指示信号受信部が前記出力指示信号を受信した場合は、前記出力部に出力を行わせる制御を行う第２制御部と、を備える通信システムである。
【発明の効果】
【０００６】
本発明によれば、筐体サイズおよび消費電力量の増大を抑制しつつ、自身の存在を報知するための出力を行うことができる。
【図面の簡単な説明】
【０００７】
【図１】図１は、実施形態の通信システムの概略構成の一例を示す図である。
【図２】図２は、携帯端末のハードウェア構成の一例を示す図である。
【図３】図３は、携帯端末が有する機能の一例を示す図である。
【図４】図４は、無線タグのハードウェア構成の一例を示す図である。
【図５】図５は、無線タグが有する機能の一例を示す図である。
【図６】図６は、報知レベル情報に応じた出力指示信号の到達範囲の一例を示す図である。
【図７】図７は、報知レベル情報に応じた出力指示信号の到達範囲の一例を示す図である。
【図８】図８は、報知レベル情報に応じた出力指示信号の到達範囲の一例を示す図である。
【図９】図９は、報知レベル情報に応じた出力指示信号の到達範囲の一例を示す図である。
【図１０】図１０は、無線タグの動作例を示すフローチャートである。
【図１１】図１１は、無線タグの動作例を示すフローチャートである。
【図１２】図１２は、ユーザが所望の物品を探し出す手順の一例を説明するための図である。
【図１３】図１３は、ユーザが所望の物品を探し出す手順の一例を説明するための図である。
【図１４】図１４は、ユーザが所望の物品を探し出す手順の一例を説明するための図である。
【図１５】図１５は、ユーザが所望の物品を探し出す手順の一例を説明するための図である。
【発明を実施するための形態】
【０００８】
以下、添付図面を参照しながら、本発明に係る通信システム、通信装置、通信方法およびプログラムの実施形態を詳細に説明する。
【０００９】
図１は、本実施形態の通信システム１の概略構成の一例を示す図である。図１に示すように、通信システム１は、第１通信装置の一例である携帯端末１０と、第１通信装置との間で無線通信を行う第２通信装置の一例である無線タグ２０とを備える。この例では、通信システム１に含まれる複数の無線タグ２０の各々は、対応する物品に取り付けられる。
【００１０】
図２は、本実施形態の携帯端末１０のハードウェア構成の一例を示す図である。図２に示すように、携帯端末１０は、ＣＰＵ１１と、ＲＯＭ１２と、ＲＡＭ１３と、無線通信部１４と、操作表示部１５とを備える。
【００１１】
ＣＰＵ１１は、携帯端末１０の動作を統括的に制御する。ＣＰＵ１１は、ＲＡＭ１３をワークエリア（作業領域）としてＲＯＭ１２等に格納されたプログラムを実行することで、携帯端末１０全体の動作を制御する。
【００１２】
無線通信部１４は、外部装置と無線通信を行うためのデバイスであり、例えばアンテナなどを含んで構成される。操作表示部１５は、各種の情報を表示するとともに各種の操作に用いられるデバイスであり、例えば液晶型のタッチパネルなどで構成される。
【００１３】
図３は、本実施形態の携帯端末１０が有する機能の一例を示すブロック図である。説明の便宜上、図３では、本発明に係る機能を主に例示しているが、携帯端末１０が有する機能はこれらに限られるものではない。図３に示すように、携帯端末１０は、受付部１０１と、発信部１０２と、設定部１０３とを有する。
【００１４】
受付部１０１は、携帯端末１０を利用するユーザによる各種の指示を受け付ける。例えば携帯端末１０のユーザは、操作表示部１５を操作することで、携帯端末１０に対して各種の指示を入力することができる。
【００１５】
発信部１０２は、何れかの無線タグ２０を識別する第１識別情報（宛先に相当する）を含む捜索情報を発信する。例えば発信部１０２は、ユーザからの指示に従って、該ユーザにより指定された第１識別情報を含む捜索情報を発信する。
【００１６】
本実施形態における捜索情報は、報知量を指定する報知レベル情報を含み、設定部１０３は、報知レベル情報を可変に設定する。例えば設定部１０３は、ユーザからの指示に従って、報知レベル情報を設定することができる。報知レベル情報の利用方法については後述する。
【００１７】
本実施形態では、上述した携帯端末１０の各部の機能（受付部１０１、発信部１０２、設定部１０３）は、携帯端末１０のＣＰＵ１１がＲＯＭ１２等に格納されたプログラムを実行することにより実現されるが、これに限らず、例えば上述した携帯端末１０の各部の機能（受付部１０１、発信部１０２、設定部１０３）のうちの少なくとも一部が専用のハードウェア回路（例えば半導体集積回路等）で実現される形態であってもよい。
【００１８】
図４は、本実施形態の無線タグ２０のハードウェア構成の一例を示す図である。ここでは、通信システム１に含まれる複数の無線タグ２０のうちの１つを例に挙げて説明するが、他の無線タグ２０も同様の構成である。図４に示すように、無線タグ２０は、ＣＰＵ２１と、ＲＯＭ２２と、ＲＡＭ２３と、無線通信部２４とを備える。
【００１９】
ＣＰＵ２１は、無線タグ２０の動作を統括的に制御する。ＣＰＵ２１は、ＲＡＭ２３をワークエリア（作業領域）としてＲＯＭ２２等に格納されたプログラムを実行することで、無線タグ２０全体の動作を制御する。
【００２０】
無線通信部２４は、外部装置と無線通信を行うためのデバイスであり、例えばアンテナなどを含んで構成される。出力部２５は、自身の存在を報知するための出力を行うデバイスである。本実施形態の出力部２５は、音声を出力する音声出力部、および、光を出力する光出力部を含むが、これに限らず、例えば音声出力部、および、光を出力する光出力部のうちの何れかのみであってもよい。要するに、自身の存在を報知するための出力を行う出力部２５は、音声を出力する音声出力部、および、光を出力する光出力部のうちの少なくとも一方を含む形態であればよい。
【００２１】
図５は、本実施形態の無線タグ２０が有する機能の一例を示すブロック図である。説明の便宜上、図５では、本発明に係る機能を主に例示しているが、無線タグ２０が有する機能はこれらに限られるものではない。図５に示すように、無線タグ２０は、記憶部２０１と、捜索情報受信部２０２と、第１制御部２０３と、出力指示信号受信部２０４と、第２制御部２０５と、第３制御部２０６とを有する。
【００２２】
記憶部２０１は、無線タグ２０（自装置）を識別する第２識別情報を予め記憶する。捜索情報受信部２０２は、携帯端末１０から発信された捜索情報を受信する。第１制御部２０３は、捜索情報受信部２０２が受信した捜索情報に含まれる第１識別情報と、自装置を識別する第２識別情報（記憶部２０１に予め記憶された第２識別情報）とが一致する場合は、自身の存在を報知するための出力を行う出力部２５に出力を行わせる制御を行うとともに、他の無線タグ２０に対して、出力部２５による出力を行うことを指示する出力指示信号を発信する制御を行う。
【００２３】
本実施形態では、第１制御部２０３は、捜索情報に含まれる報知レベル情報に応じて、出力指示信号の強度（電波の強度）を可変に設定する制御を行う。より具体的には、第１制御部２０３は、報知レベル情報によって指定された報知量が大きいほど、出力指示信号の到達範囲が大きくなるように、出力指示信号の強度を設定する制御を行う。本実施形態では、一例として、報知レベル情報によって指定され得る報知量のレベルとしては、最も小さい報知量を示す「ゼロ」、ゼロよりも大きい報知量を示す「小」、小よりも大きい報知量を示す「中」、中よりも大きい報知量を示す「大」の４種類がある。
【００２４】
例えば報知レベル情報により指定される報知量が「ゼロ」の場合、図６に示すように、第１制御部２０３は、他の無線タグ２０に到達しないように、出力指示信号の強度を設定する。すなわち、他の無線タグ２０に対して、出力指示信号は送信されない。
【００２５】
また、例えば報知レベル情報により指定される報知量が「小」の場合、第１制御部２０３は、出力指示信号の到達可能な範囲が図７に示す範囲となるように、出力指示信号の強度を設定する。図７の例では、６個の他の無線タグ２０に対して出力指示信号が送信される。
【００２６】
また、例えば報知レベル情報により指定される報知量が「中」の場合、第１制御部２０３は、出力指示信号の到達可能な範囲が図８に示す範囲（図７に示す範囲よりも広い範囲）となるように、出力指示信号の強度を設定する。図８の例では、１８個の他の無線タグ２０に対して出力指示信号が送信される。
【００２７】
さらに、例えば報知レベル情報により指定される報知量が「大」の場合、第１制御部２０３は、出力指示信号の到達可能な範囲が図９に示す範囲（図８に示す範囲よりも広い範囲）となるように、出力指示信号の強度を設定する。図９の例では、３６個の他の無線タグ２０に対して出力指示信号が送信される。
【００２８】
図５に戻って説明を続ける。出力指示信号受信部２０４は、他の無線タグ２０から発信された出力指示信号を受信する。第２制御部２０５は、出力指示信号受信部２０４が出力指示信号を受信した場合は、自装置の出力部２５に出力を行わせる制御を行う。
【００２９】
第３制御部２０６は、自装置の出力部２５による出力が一定期間にわたって継続した場合は、自装置の出力部２５による出力を停止させる制御を行う。
【００３０】
本実施形態では、上述した無線タグ２０の各部の機能は、無線タグ２０のＣＰＵ２１がＲＯＭ２２等に格納されたプログラムを実行することにより実現されるが、これに限らず、例えば上述した無線タグ２０の各部の機能のうちの少なくとも一部が専用のハードウェア回路（例えば半導体集積回路等）で実現される形態であってもよい。また、上述の記憶部２０１は、例えばＲＯＭ２２やＲＡＭ２３により実現される。
【００３１】
図１０は、携帯端末１０から捜索情報を受信した場合の無線タグ２０の動作例を示すフローチャートである。捜索情報受信部２０２が携帯端末１０から捜索情報を受信すると（ステップＳ１）、第１制御部２０３は、その受信した捜索情報に含まれる第１識別情報と、自装置を識別する第２識別情報（自装置の記憶部２０１に予め記憶された第２識別情報）とが一致するか否かを判断する（ステップＳ２）。一致しない場合は（ステップＳ２：Ｎｏ）、そのまま処理は終了する一方、一致する場合は（ステップＳ２：Ｙｅｓ）、第１制御部２０３は、自装置の出力部２５に出力を行わせる制御を行う（ステップＳ３）。なお、上述したように、第３制御部２０６は、自装置の出力部２５による出力が一定期間にわたって継続した場合は、自装置の出力部２５による出力を停止させる制御を行う。
【００３２】
そして、第１制御部２０３は、ステップＳ１で受信した捜索情報（自装置の第２識別情報を含む捜索情報であると考えることもできる）に含まれる報知レベル情報に応じて、出力指示信号の強度を設定し（ステップＳ４）、ステップＳ４で設定した強度の出力指示信号を発信する（ステップＳ５）。
【００３３】
図１１は、他の無線タグ２０から出力指示信号を受信した場合の無線タグ２０の動作例を示すフローチャートである。出力信号受信部２０４が出力指示信号を受信すると（ステップＳ１１）、第２制御部２０５は、自装置の出力部２５に出力を行わせる制御を行う（ステップＳ１２）。
【００３４】
なお、上述したように、第３制御部２０６は、自装置の出力部２５による出力が一定期間にわたって継続した場合は、自装置の出力部２５による出力を停止させる制御を行う。
【００３５】
次に、携帯端末１０のユーザが、所望の物品を探し出す手順の一例を説明する。本例では、所望の物品がどこにあるのか全く分からない状況から探し始めることを想定する。
【００３６】
所望の物品は、現在地から遠く離れた場所にある可能性もあるので、最初は、ユーザは、携報知量を「大」に設定することを指示する。そして、ユーザは、所望の物品に取り付けられた無線タグ２０を識別する第１識別情報を指定した上で、捜索情報の発信を指示する。携帯端末１０は、ユーザからの指示に従って、「大」を示す報知量を指定する報知レベル情報、および、所望の物品に取り付けられた無線タグ２０を識別する第１識別情報を含む捜索信号を発信する。この捜索信号に含まれる第１識別情報と一致する第２識別情報で識別される無線タグ２０（以下、「捜索対象タグ」と称する）は、この捜索信号を受信すると、その受信した捜索情報に含まれる第１識別情報と、自装置を識別する第２識別情報（自装置の記憶部２０１に予め記憶された第２識別情報）とが一致することを確認した後、自装置の出力部２５に出力を行わせる制御を行う。そして、捜索対象タグは、その受信した捜索情報に含まれる報知レベル情報に応じて、出力指示信号の強度を設定し、その設定した強度の出力指示信号を周囲に向けて発信する。この場合は、報知レベル情報により指定される報知量は「大」を示すので、捜索対象タグから広範囲にわたる他の無線タグ２０に対して、出力指示信号が送信されることになり、図１２に示すように、捜索対象タグが取り付けられた物品を含む多数の物品から、音と光が出力されることになる。
【００３７】
次に、ユーザは、音と光が出ている範囲へ移動した後、報知量を「中」に設定することを指示した上で、再び捜索情報の発信を指示する。携帯端末１０は、ユーザからの指示に従って、「中」を示す報知量を指定する報知レベル情報、および、所望の物品に取り付けられた無線タグ２０を識別する第１識別情報を含む捜索信号を発信する。捜索対象タグは、この捜索信号を受信すると、その受信した捜索情報に含まれる第１識別情報と、自装置を識別する第２識別情報とが一致することを確認した後、自装置の出力部２５に出力を行わせる制御を行う。そして、捜索対象タグは、その受信した捜索情報に含まれる報知レベル情報に応じて、出力指示信号の強度を設定し、その設定した強度の出力指示信号を周囲に向けて発信する。この場合は、報知レベル情報により指定される報知量は「中」を示すので、報知量が「大」を示す場合に比べて、出力指示信号の到達範囲は狭くなる。したがって、図１３に示すように、図１２に比べて、音と光が出力される物品の範囲が絞られることになる。
【００３８】
次に、ユーザは、音と光が出ている範囲へ移動した後、報知量を「小」に設定することを指示した上で、再び捜索情報の発信を指示する。携帯端末１０は、ユーザからの指示に従って、「小」を示す報知量を指定する報知レベル情報、および、所望の物品に取り付けられた無線タグ２０を識別する第１識別情報を含む捜索信号を発信する。捜索対象タグは、この捜索信号を受信すると、その受信した捜索情報に含まれる第１識別情報と、自装置を識別する第２識別情報とが一致することを確認した後、自装置の出力部２５に出力を行わせる制御を行う。そして、捜索対象タグは、その受信した捜索情報に含まれる報知レベル情報に応じて、出力指示信号の強度を設定し、その設定した強度の出力指示信号を周囲に向けて発信する。この場合は、報知レベル情報により指定される報知量は「小」を示すので、報知量が「中」を示す場合に比べて、出力指示信号の到達範囲は狭くなる。したがって、図１４に示すように、図１３に比べて、音と光が出力される物品の範囲がさらに絞られることになる。
【００３９】
次に、ユーザは、音と光が出ている範囲へ移動した後、報知量を「ゼロ」に設定することを指示した上で、再び捜索情報の発信を指示する。携帯端末１０は、ユーザからの指示に従って、「ゼロ」を示す報知量を指定する報知レベル情報、および、所望の物品に取り付けられた無線タグ２０を識別する第１識別情報を含む捜索信号を発信する。捜索対象タグは、この捜索信号を受信すると、その受信した捜索情報に含まれる第１識別情報と、自装置を識別する第２識別情報とが一致することを確認した後、自装置の出力部２５に出力を行わせる制御を行う。そして、捜索対象タグは、その受信した捜索情報に含まれる報知レベル情報に応じて、出力指示信号の強度を設定し、その設定した強度の出力指示信号を発信する。この場合は、報知レベル情報により指定される報知量は「ゼロ」を示すので、捜索対象タグ以外の無線タグ２０には出力指示信号が送信されない。したがって、図１５に示すように、捜索対象タグが取り付けられた物品のみから音と光が出力されるので、ユーザは、音と光を出力する１つの物品が所望の物品であると特定することができる。
【００４０】
以上に説明したように、本実施形態では、無線タグ２０は、携帯端末１０から受信した捜索情報に含まれる第１識別情報と、自装置を識別する第２識別情報とが一致する場合は、自装置の出力部２５に出力を行わせる制御を行うとともに、他の無線タグ２０に対して、出力部２５による出力を行うことを指示する出力指示信号を発信する制御を行う。また、無線タグ２０は、他の無線タグ２０から出力指示信号を受信した場合は、自装置の出力部２５に出力を行わせる制御を行う。
【００４１】
すなわち、捜索対象の無線タグ２０（捜索対象タグ）が、該当する捜索情報を受信した場合は、捜索対象タグ２０だけでなく、捜索対象タグの周囲の他の無線タグ２０も同様に音と光を出力するので、報知量を大きくすることができる。これにより、各無線タグ２０の筐体サイズや消費電力量を増大させることなく遠方まで報知することが可能になる。
【００４２】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。
【００４３】
また、上述した実施形態の通信システム１で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【符号の説明】
【００４４】
１      通信システム
１０    携帯端末
２０    無線タグ
１０１  受付部
１０２  発信部
１０３  設定部
２０１  記憶部
２０２  捜索情報受信部
２０３  第１制御部
２０４  出力指示信号受信部
２０５  第２制御部
２０６  第３制御部
【先行技術文献】
【特許文献】
【００４５】
【特許文献１】特開２００６−２４０８２３号公報
【図１】
2016162360.tif 000003
【図２】
2016162360.tif 000004
【図３】
2016162360.tif 000005
【図４】
2016162360.tif 000006
【図５】
2016162360.tif 000007
【図６】
2016162360.tif 000008
【図７】
2016162360.tif 000009
【図８】
2016162360.tif 000010
【図９】
2016162360.tif 000011
【図１０】
2016162360.tif 000012
【図１１】
2016162360.tif 000013
【図１２】
2016162360.tif 000014
【図１３】
2016162360.tif 000015
【図１４】
2016162360.tif 000016
【図１５】
2016162360.tif 000017